(57)【要約】【課題】ガソリン機関の過渡運転時、適切な量の燃料を噴射することが困難なこと。【解決手段】ガソリン機関の規定角度αにおいて、燃料噴射の開始時期と、燃料噴射期間（噴射パルス幅τ）とを、スロットル開度と回転速度とに基づき算出する。所定回転角度毎に、最新のスロットル開度を取り込み、これに基づき噴射パルス幅τｎｅｗを再算出する。前回算出された噴射パルス幅τが今回算出される噴射パルス幅τｎｅｗと異なる場合、噴射パルス幅τを、噴射パルス幅τｎｅｗで置き換える。【選択図】      図４
2008286086.tif 000002
【特許請求の範囲】
【請求項１】
内燃機関の燃料噴射弁を操作することで燃料噴射制御を行う内燃機関の燃料噴射制御装置において、
前記内燃機関の吸気相当量を検出する検出手段による検出値を取得する取得手段と、
前記吸気相当量の検出値に基づき、前記内燃機関の燃料噴射期間を設定する設定手段とを備え、
前記設定手段は、前記燃料噴射弁を介して燃料が噴射されているときにおける前記検出値に基づき、前記燃料噴射期間を設定することを特徴とする内燃機関の燃料噴射制御装置。
【請求項２】
前記設定手段は、前記内燃機関の燃料噴射に先立つタイミングにおける前記検出値に基づき前記燃料噴射期間を設定する手段と、前記燃料が噴射されているときにおける前記検出値に応じて前記燃料噴射期間を変更する変更手段とを備えることを特徴とする請求項１記載の内燃機関の燃料噴射制御装置。
【請求項３】
前記変更手段は、前記燃料が噴射されているときにおける都度の前記検出値に基づき燃料噴射期間を算出する手段と、今回算出される燃料噴射期間とそれ以前に算出されている燃料噴射期間とを比較する比較手段と、該比較手段による比較対象が互いに一致しないとき、前記以前に算出されている燃料噴射期間を今回算出される燃料噴射期間で置き換える手段とを備えることを特徴とする請求項２記載の内燃機関の燃料噴射制御装置。
【請求項４】
前記今回算出された燃料噴射期間によって定まる噴射終了タイミングに対して現在のタイミングが遅延しているとき、燃料噴射を直ちに終了する終了手段を更に備えることを特徴とする請求項３記載の内燃機関の燃料噴射制御装置。
【請求項５】
前記取得手段は、前記内燃機関の出力軸の所定の回転角度毎に前記検出手段によって検出される前記検出値を都度取得するものであり、
前記設定手段は、前記都度取得される検出値に基づき前記燃料噴射期間を設定することを特徴とする請求項１〜４のいずれかに記載の内燃機関の燃料噴射制御装置。
【請求項６】
前記吸気相当量が、前記内燃機関の吸気通路の流路面積を調節する吸気絞り弁によって調節された流路面積であることを特徴とする請求項１〜５のいずれかに記載の内燃機関の燃料噴射制御装置。
【請求項７】
前記設定手段は、前記内燃機関の出力軸の回転速度及び前記流路面積と前記燃料噴射期間とを関係付ける関係情報に基づき、前記燃料噴射期間を設定することを特徴とする請求項６記載の内燃機関の燃料噴射制御装置。
【請求項８】
請求項１〜７のいずれかに記載の燃料噴射制御装置と、
前記燃料噴射弁と、
前記検出手段とを備えることを特徴とする燃料噴射制御システム。
【発明の詳細な説明】
【技術分野】
【０００１】
本発明は、内燃機関の燃料噴射弁を操作することで燃料噴射制御を行う内燃機関の燃料噴射制御装置及び燃料噴射制御システムに関する。
【背景技術】
【０００２】
この種の燃料噴射制御装置としては、燃料噴射弁による燃料の噴射前の所定のタイミングで燃料噴射期間を算出し、これに基づき燃料噴射弁を操作するものが周知である。ただし、この場合、ガソリン機関の運転状態が変化する過渡時にあっては、所定のタイミングで算出した噴射期間内に噴射される燃料量が実際の噴射タイミングにおける燃料量としては適切なものとはならないおそれがある。
【０００３】
そこで従来は、例えば下記特許文献１に見られるように、ガソリン機関の加速時において、加速要求の継続に応じて、ガソリン機関の出力軸の回転角度とは非同期に燃料を噴射する非同期噴射を行うことも提案されている。
【特許文献１】特開平９−３１７５２９号公報
【発明の開示】
【発明が解決しようとする課題】
【０００４】
ところで、上記燃料噴射制御装置では、定常運転時と加速運転時とで燃料噴射制御を変更する必要が生じる等、その処理が煩雑なものとなっている。更に、上記制御装置では、ガソリン機関が減速するときにおいて、ガソリン機関の定常時と同一の制御を行うために、燃料噴射量が過剰となるおそれもある。
【０００５】
本発明は、上記課題を解決するためになされたものであり、その目的は、内燃機関の過渡運転時であっても、適切な量の燃料を噴射することのできる内燃機関の燃料噴射制御装置及び燃料噴射制御システムを提供することにある。
【課題を解決するための手段】
【０００６】
以下、上記課題を解決するための手段、及びその作用効果について記載する。
【０００７】
請求項１記載の発明は、前記内燃機関の吸気相当量を検出する検出手段による検出値を取得する取得手段と、前記吸気相当量の検出値に基づき、前記内燃機関の燃料噴射期間を設定する設定手段とを備え、前記設定手段は、前記燃料噴射弁を介して燃料が噴射されているときにおける前記検出値に基づき、前記燃料噴射期間を設定することを特徴とする。
【０００８】
内燃機関にとって必要な燃料量は、吸気相当量に応じて変化する。一方、内燃機関の過渡運転時には、実際に燃料の噴射がなされる前後の吸気相当量が相違する。このため、燃料噴射前の吸気相当量によって噴射量（燃料噴射期間）を定めたのでは、適量の燃料を噴射することができないおそれがある。この点、上記発明では、燃料が噴射されている期間における吸気相当量の検出値に基づき燃料噴射期間を設定することで、内燃機関の過渡運転時であっても、適切な量の燃料を噴射することができる。
【０００９】
請求項２記載の発明は、請求項１記載の発明において、前記設定手段は、前記内燃機関の燃料噴射に先立つタイミングにおける前記検出値に基づき前記燃料噴射期間を設定する手段と、前記燃料が噴射されているときにおける前記検出値に応じて前記燃料噴射期間を変更する変更手段とを備えることを特徴とする。
【００１０】
上記発明では、変更手段を備えることで、燃料噴射に先立つタイミングにおける検出値に応じた燃料噴射期間が適切でない場合であっても、これを燃料噴射時の吸気相当量に応じて変更することで、燃料噴射量を適量とすることができる。
【００１１】
請求項３記載の発明は、請求項２記載の発明において、前記変更手段は、前記燃料が噴射されているときにおける都度の前記検出値に基づき燃料噴射期間を算出する手段と、今回算出される燃料噴射期間とそれ以前に算出されている燃料噴射期間とを比較する比較手段と、該比較手段による比較対象が互いに一致しないとき、前記以前に算出されている燃料噴射期間を今回算出される燃料噴射期間で置き換える手段とを備えることを特徴とする。
【００１２】
上記発明では、今回算出される燃料噴射期間とそれ以前に算出されている燃料噴射期間とを比較することで、以前に算出された燃料噴射期間が最新の吸気相当量にとって適切な値か否かを判断することができる。このため、燃料噴射期間の変更を適切に行うことができる。
【００１３】
請求項４記載の発明は、請求項３記載の発明において、前記今回算出された燃料噴射期間によって定まる噴射終了タイミングに対して現在のタイミングが遅延しているとき、燃料噴射を直ちに終了する終了手段を更に備えることを特徴とする。
【００１４】
上記発明では、終了手段を備えることで、今回燃料噴射期間を算出したタイミングにおける吸気相当量にとってすでに噴射された燃料量が過剰であるときには直ちに燃料噴射が終了される。このため、燃料が過剰に噴射されることを極力抑制することができる。
【００１５】
請求項５記載の発明は、請求項１〜４のいずれかに記載の発明において、前記取得手段は、前記内燃機関の出力軸の所定の回転角度毎に前記検出手段によって検出される前記検出値を都度取得するものであり、前記設定手段は、前記都度取得される検出値に基づき前記燃料噴射期間を設定することを特徴とする。
【００１６】
上記発明では、内燃機関の出力軸の所定の回転角度毎に検出値を取得するために、内燃機関の回転速度にかかわらず、燃料噴射期間の設定に際して参照する検出値の取得頻度を一定に保つことができる。
【００１７】
請求項６記載の発明は、請求項１〜５のいずれかに記載の発明において、前記吸気相当量が、前記内燃機関の吸気通路の流路面積を調節する吸気絞り弁によって調節された流路面積であることを特徴とする。
【００１８】
流路面積を調節する吸気絞り弁を備えるものにあっては、調節される流路面積を検出する検出手段を備えるのが一般的である。この点、上記発明では、流路面積を吸気相当量とすることで、吸気量センサ（マスフローセンサ）や吸気圧センサを備えなくても、簡易に燃料噴射期間を設定することができる。
【００１９】
請求項７記載の発明は、請求項６記載の発明において、前記設定手段は、前記内燃機関の出力軸の回転速度及び前記流路面積と前記燃料噴射期間とを関係付ける関係情報に基づき、前記燃料噴射期間を設定することを特徴とする。
【００２０】
上記発明では、関係情報を用いることで燃料噴射期間を簡易且つ適切に設定することができる。
【００２１】
請求項８記載の発明は、請求項１〜６のいずれかに記載の燃料噴射制御装置と、前記燃料噴射弁と、前記検出手段とを備えることを特徴とする燃料噴射制御システム。
【発明を実施するための最良の形態】
【００２２】
以下、本発明にかかる燃料噴射制御装置を自動２輪車に搭載されるガソリン機関の燃料噴射制御装置に適用した一実施形態について、図面を参照しつつ説明する。
【００２３】
図１に、本実施形態にかかる内燃機関の制御システムの全体構成を示す。図示されるように、ガソリン機関１０は、火花点火式レシプロエンジンであり、シリンダブロック１２を備え、シリンダブロック１２によりシリンダ１４が形成されている。シリンダブロック１２には、ガソリン機関１０内において冷却水を循環させるための冷却水路１６が設けられており、冷却水によりガソリン機関１０が冷却されている。また、シリンダ１４内には、ピストン１８が収容され、ピストン１８の往復動により、出力軸としてのクランク軸２０が回転するようになっている。このクランク軸２０の外周側には、所定クランク角毎に（例えば３０°ＣＡ周期で）クランク角信号を出力するクランク角センサ２２が設けられ、クランク軸２０の回転角度が検出可能とされている。また、シリンダブロック１２の上端面にはシリンダヘッドが固定されており、シリンダヘッド、シリンダブロック１２及びピストン１８によって燃焼室２４が区画形成されている。
【００２４】
シリンダヘッドには、燃焼室２４に開口する吸気ポート（吸気口）と排気ポート（排気口）とが形成されており、これら吸気ポート及び排気ポートは、それぞれクランク軸２０に連動するカム軸に取り付けられたカム（図示略）によって駆動される吸気弁２６と排気弁２８とにより開閉される。また、吸気ポートには、シリンダ１４内に外気（新気）を吸入するための吸気通路３０が接続され、排気ポートには、シリンダ１４からの燃焼ガス（排気）を排出するための排気通路３２が接続されている。そして、吸気通路３０の中途には、吸気脈動や吸気干渉を防ぐ等の目的で通路面積の拡大（拡径）されたサージタンク３４が設けられている。
【００２５】
ガソリン機関１０の吸気通路３０（吸気通路）には、ユーザのアクセルグリップ３６の操作によって機械的に開度調節されるスロットルバルブ３８（吸気絞り弁）と、スロットルバルブ３８の開度（スロットル開度）や動き（開度変動）を検出するためのスロットルセンサ４０とが設けられている。そして、スロットル開度に応じてその下流側に吸入される空気量を調節することができる。
【００２６】
また吸気通路３０には、シリンダ１４の吸気ポート近傍にて燃料を噴射供給する電子制御式の燃料噴射弁４２が取り付けられている。この燃料噴射弁４２により、吸気通路３０、特にシリンダ１４の吸気ポートに対して、燃料（ガソリン）が噴射供給（ポート噴射）される。
【００２７】
ガソリン機関１０では、上記燃料噴射弁４２により噴射された燃料（厳密には吸入空気との混合気）に対して点火を行うことでその燃料を燃焼させる。このため、ガソリン機関１０のシリンダヘッドには、点火コイル等からなる点火装置等を備えた点火プラグ４４が取り付けられている。すなわち、ガソリン機関１０において点火を行う際には、上記点火プラグ４４に対して、所望の点火時期で高電圧が印加される。そして、この高電圧の印加により、各点火プラグ４４の対向電極間に火花放電が発生し、発生した火花放電によって、燃焼室２４内に導入された混合気が着火し、吸気と燃料との反応によって燃料が燃焼する。
【００２８】
電子制御装置（ＥＣＵ５０）は、各種の演算を行う中央処理装置（ＣＰＵ５２）や、その演算途中のデータや演算結果等を一時的に記憶するメインメモリとしてのＲＡＭ５４（Random Access Memory）、プログラムメモリとしての読み出し専用記憶装置（ＲＯＭ５６）等を備えている。更に、ＥＣＵ５０は、上記クランク角センサ２２やスロットルセンサ４０等の各種センサの出力信号をディジタルデータに変換するＡ／Ｄ変換器５８を備えている。
【００２９】
ＥＣＵ５０は、上記クランク角センサ２２やスロットルセンサ４０等の各種センサの検出値に基づき、燃料噴射弁４２や点火装置等の各種アクチュエータを操作することで、ガソリン機関１０の燃焼制御を行う。特にＥＣＵ５０では、ガソリン機関１０の燃焼状態を所望に制御すべく、燃料噴射制御を行う。以下、図２及び図３を用いて、本実施形態にかかる燃料噴射制御について詳述する。
【００３０】
図２は、本実施形態にかかる燃料噴射弁４２の操作に関する処理手順である。この処理は、ＥＣＵ５０により、例えば所定周期で繰り返し実行される。
【００３１】
この一連の処理では、まずステップＳ１０において、燃料噴射時期算出用の規定角度αであるか否かを判断する。ここで、規定角度αは、燃料噴射が開始され得る最進角側のクランク角度よりも進角側に設定されている。そして、規定角度αであると判断されるときには、ステップＳ１２において、スロットルセンサ４０によって検出されるスロットル開度と、クランク角センサ２２の検出値に応じた回転速度とを取得する。詳しくは、クランク角センサ２２の出力及びスロットルセンサ４０の出力を、Ａ／Ｄ変換器５８に順次取り込み、これらをディジタルデータに変換することで、ＣＰＵ５２にて処理可能なディジタルの検出値とする。そして、ステップＳ１４では、スロットル開度θと回転速度とに基づき、燃料噴射弁に対する燃料の噴射開始時期の指令値（指令噴射開始時期ＴＦＩＮ）を算出する。詳しくは、スロットル開度及び回転速度と指令噴射開始時期との関係を定めるマップを用いて、指令噴射開始時期を算出する。
【００３２】
続くステップＳ１６では、スロットル開度及び回転速度に基づき、燃料噴射弁４２による燃料の噴射期間（噴射パルス幅τ）を算出する。詳しくは、スロットル開度及び回転速度と指令噴射開始時期との関係を定めるマップを用いて、噴射パルス幅τを算出する。噴射パルス幅τは、燃料噴射量を定めるものである。すなわち、噴射パルス幅τが大きいほど、燃料噴射量が増大する。ちなみに、噴射パルス幅τは、スロットル開度θが大きいほど、また、回転速度が大きいほど、大きい値に設定される。
【００３３】
続くステップＳ１８では、上記ステップＳ１４にて算出した指令噴射開始時期であるか否かを判断する。そして、指令噴射開始時期となるまで待機し、指令噴射開始時期となると（ステップＳ１８：ＹＥＳ）、ステップＳ２０において燃料噴射弁４２を通電することで、燃料噴射弁４２を開弁させる。これにより、吸気通路３０に燃料が噴射される。
【００３４】
上記処理によれば、ガソリン機関１０の都度の運転状態に応じて燃料噴射量を設定することができる。ここで、スロットル開度θは、ガソリン機関１０の吸入空気量を調節するパラメータであるため、スロットル開度θによってガソリン機関１０の吸入空気量を簡易に把握することができる。このため、本実施形態では、スロットル開度及び回転速度に基づき、都度の回転速度及び吸気量にとって適切な量の燃料を噴射することができる。
【００３５】
ただし、この図２に示した処理によって算出される噴射パルス幅τは、ガソリン機関１０の過度運転時には適切な値とならないおそれがある。すなわち、例えばガソリン機関１０の加速運転時にあっては、スロットル開度θが増大することで噴射量を増量する要求が生じる。しかし、実際に燃料が噴射されるときにおけるスロットル開度θよりも規定角度αにおいて検出されるスロットル開度θの方が小さくなるため、燃料量が不足する。これにより、アクセルグリップ３６の操作によるユーザの加速要求に適切に応じることが困難となる。また、この際には、ＥＣＵ５０により空燃比フィードバック制御がなされていたとしても、フィードバック制御が間に合わないため、排気特性が低下する。
【００３６】
一方、ガソリン機関１０の減速運転時にあっては、スロットル開度θが減少することで噴射量を減量する要求が生じる。しかし、実際に燃料が噴射されるときにおけるスロットル開度θよりも規定角度αにおいて検出されるスロットル開度θの方が大きくなるため、燃料量が過剰となる。これにより、ＥＣＵ５０により空燃比フィードバック制御がなされていたとしても、フィードバック制御が間に合わないため、排気特性が低下する。
【００３７】
そこで本実施形態では、燃料噴射がなされているときにおけるスロットル開度θに基づき噴射パルス幅τを再算出することで、最終的な噴射パルス幅τを実際の噴射期間中のスロットル開度θに基づき設定する。図３に、噴射パルス幅τの変更にかかる処理の手順を示す。この処理は、ＥＣＵ５０により、例えば先の図２の処理が完了した後、燃料噴射が終了するまでの期間において、クランク角センサ２２から出力される所定周期のクランク角信号をトリガとして繰り返し実行される。
【００３８】
この一連の処理では、まずステップＳ１０において、最新の回転速度を取得する。続くステップＳ３２では、最新のスロットル開度を取得する。すなわち、スロットルセンサ４０の出力信号をＡ／Ｄ変換器５８によってディジタルデータに変換することで、最新のスロットル開度を取得する。続くステップＳ３４においては、上記ステップ３０にて取得された回転速度と、ステップＳ３２において取得されたスロットル開度とに基づき、噴射パルス幅τｎｅｗを算出する。ここでは、先の図３のステップＳ１６に示した処理と同一の処理を行うことで、噴射パルス幅τｎｅｗ算出する。
【００３９】
続くステップＳ３６では、現在設定されている噴射パルス幅τが、今回のステップＳ３４において算出された噴射パルス幅τｎｅｗと一致するか否かを判断する。この処理は、現在設定されている噴射パルス幅τが、上記ステップ３０にて取得される最新の回転速度やステップＳ３２にて取得される最新のスロットル開度θにとって適切なものであるか否かを判断するものである。そして、ステップＳ３６において否定判断されるときには、ステップＳ３８に移行する。ステップＳ３８においては、燃料の噴射が開始されてからの期間（噴射期間Ｔ）が、上記ステップＳ３４にて算出された最新の噴射パルス幅τｎｅｗよりも長いか否かを判断する。この処理は、直ちに燃料噴射を停止すべきか否かを判断するものである。噴射期間Ｔが噴射パルス幅ｎｅｗよりも長い場合には、今回の燃料噴射による噴射量が既に最新のスロットル開度θにとって適切な噴射量を超えており、直ちに燃料噴射を停止することが望まれると判断する。
【００４０】
すなわち、ステップＳ３８において肯定判断されるときには、ステップＳ４０において、燃料噴射弁４２の通電を停止する。これに対し、ステップＳ３８において否定判断されるときには、ステップＳ４２に移行する。ステップＳ４２では、噴射パルス幅τを、上記ステップＳ３４において算出された最新の噴射パルス幅τに変更する。
【００４１】
なお、上記ステップＳ３６において肯定判断されるときや、ステップＳ４０、Ｓ４２の処理が完了するときには、この一連の処理を一旦終了する。
【００４２】
図４に、本実施形態にかかる噴射パルス幅τの設定態様を例示する。図４（ａ）は、クランク角センサ２２の出力に基づくクランク角信号を示し、図４（ｂ）は、噴射パルス幅を示し、図４（ｃ）は、スロットル開度の推移を示す。
【００４３】
図４に示されるように、ガソリン機関１０の加速運転時においては、スロットル開度が増大される。そして、規定角度αにおいて、そのときのスロットル開度と回転速度とに基づき、噴射パルス幅τが算出される。そしてその後、所定回転角度毎に、噴射パルス幅τが再算出される。この際、前回算出された噴射パルス幅τが現在の噴射パルス幅τｎｅｗと相違する場合には、噴射パルス幅τが変更される。特に、ガソリン機関１０の加速運転時にあっては、スロットル開度が増大するため、噴射パルス幅τの変更は、パルス幅を拡大する側への変更となる。
【００４４】
図５に、ガソリン機関１０の減速運転時における噴射パルス幅τの設定態様を例示する。なお、図５（ａ）〜図５（ｃ）は、図４（ａ）〜図４（ｃ）に対応している。
【００４５】
図示されるように、減速運転時の場合、スロットル開度が減少するために、噴射パルス幅の変更は、パルス幅を減少する側への変更となる。
【００４６】
以上詳述した本実施形態によれば、以下の効果が得られるようになる。
【００４７】
（１）燃料噴射弁４２を介して燃料が噴射されているときにおけるスロットル開度に基づき、噴射パルス幅τを設定した。これにより、ガソリン機関１０の過渡運転時であっても、適切な量の燃料を噴射することができる。
【００４８】
（２）ガソリン機関１０の燃料噴射に先立つタイミングにおけるスロットル開度に基づき噴射パルス幅τを設定して且つ、燃料が噴射されているときにおけるスロットル開度に応じて噴射パルス幅τを変更した。これにより、燃料噴射に先立つタイミングにおけるスロットル開度に応じた噴射パルス幅が適切でない場合であっても、これを燃料噴射時のスロットル開度に応じて変更することで、燃料噴射量を適量とすることができる。更に、燃料噴射に先立つタイミングでスロットル開度に基づき噴射パルス幅τを設定することで、燃料が噴射される際にノイズ等に起因してスロットル開度の検出値を取得することができない場合であっても、噴射パルス幅τを設定することができる。
【００４９】
（３）今回算出される噴射パルス幅τｎｅｗとそれ以前に算出された噴射パルス幅τとが互いに一致しないとき、噴射パルス幅τを噴射パルス幅τｎｅｗで置き換えた。これにより、噴射パルス幅τの変更を適切に行うことができる。
【００５０】
（４）今回算出された噴射パルス幅τｎｅｗによって定まる噴射終了タイミングに対して現在のタイミングが遅延しているとき、燃料噴射を直ちに終了した。これにより、燃料が過剰に噴射されることを極力抑制することができる。
【００５１】
（５）クランク軸２０の所定の回転角度毎にスロットルセンサ４０の出力のＡ／Ｄ変換を行い、都度Ａ／Ｄ変換されたデータを用いて噴射パルス幅τを変更した。これにより、ガソリン機関１０の回転速度にかかわらず、噴射パルス幅τの設定に際して参照するスロットル開度のＡ／Ｄ変換値（検出値）の取得頻度を一定に保つことができる。特に、本実施形態では、自動２輪車にガソリン機関１０を搭載するために、その回転速度が特に高回転速度となりやすい。このため、Ａ／Ｄ変換を時間周期で行う場合、スロットル開度の取得頻度を高回転速度領域において十分に確保しようとするときには、アイドル回転速度領域において、Ａ／Ｄ変換頻度が過度に高くなる。これに対し、回転角度周期でＡ／Ｄ変換を行うことで、アイドル回転速度領域から高回転速度領域まで適切な頻度でＡ／Ｄ変換を行うことができる。
【００５２】
（６）ガソリン機関１０の吸気通路３０の流路面積を調節するスロットルバルブ３８の開度に基づき噴射パルス幅τを算出した。これにより、吸気量センサ（マスフローセンサ）や吸気圧センサを備えなくても、噴射パルス幅τを簡易に設定することができる。
【００５３】
（７）スロットル開度及び回転速度と噴射パルス幅τとを関係付けるマップに基づき、噴射パルス幅τを設定した。これにより、噴射パルス幅τを簡易且つ適切に設定することができる。
【００５４】
（その他の実施形態）
なお、上記各実施形態は、以下のように変更して実施してもよい。
【００５５】
・ガソリン機関１０の吸気相当量としては、スロットル開度に限らず、例えば吸気流量や、吸気圧等であってもよい。
【００５６】
・上記実施形態では、吸気相当量及び回転速度に基づき噴射パルス幅を直接算出したが、これに代えて、噴射量を算出してもよい。この場合、噴射量を噴射パルス幅に変換する処理を別途行う。この際、吸気通路３０内の圧力と燃料噴射弁４２の内部の圧力との差圧に応じて変換を行うようにするなら、噴射量をより高精度に制御することができる。また、この差圧に代えて、吸気圧を用いてもよい。
【００５７】
・上記実施形態では、燃料噴射が開始される以前に噴射パルス幅を設定したが、これに限らず、燃料噴射開始前には指令噴射開始時期のみを設定するようにしてもよい。そして、燃料噴射が開始されてから先の図３に示した処理を行うことによっても、最新のスロットル開度に基づき噴射パルス幅τを設定することができる。
【００５８】
・先の図３に示した処理において、今回のスロットル開度のＡ／Ｄ変換値が前回のスロットル開度のＡ／Ｄ変換値から所定以上離間するときには、今回のスロットル開度のＡ／Ｄ変換値の信頼性が低いとしてこれに基づく噴射パルス幅τの変更を禁止してもよい。また、これに代えて、今回のスロットル開度についてのＡ／Ｄ変換値及び前回のスロットル開度に所定の係数を乗算して互いに加算するいわゆる加重平均処理を施したものを、今回のスロットル開度としてもよい。これにより、ノイズ等の影響を好適に除去することができる。
【００５９】
・内燃機関としては、吸気ポート式のガソリン機関１０等、吸気ポート式の火花点火式内燃機関に限らない。ただし、燃料噴射弁４２に対する開閉指令に対して実際の開閉タイミングが過度に遅れないもの、換言すれば開指令期間と実際の燃料噴射期間とが確実に重複するものであることが望ましい。
【００６０】
・内燃機関としては、自動２輪車に搭載されるものに限らず、例えば４輪車に搭載されるものであってもよい。
【図面の簡単な説明】
【００６１】
【図１】一実施形態にかかるガソリン機関の制御システムの全体構成を示す図。
【図２】同実施形態にかかる燃料噴射時期の設定処理の手順を示す流れ図。
【図３】同実施形態にかかる噴射パルス幅の変更処理の手順を示す流れ図。
【図４】同実施形態にかかる噴射パルス幅の変更処理態様を示すタイムチャート。
【図５】同実施形態にかかる噴射パルス幅の変更処理態様を示すタイムチャート。
【符号の説明】
【００６２】
１０…ガソリン機関、２２…クランク角センサ、３８…スロットルバルブ、４０…スロットルセンサ、５０…ＥＣＵ（燃料噴射制御装置）。
【図１】
2008286086.tif 000003
【図２】
2008286086.tif 000004
【図３】
2008286086.tif 000005
【図４】
2008286086.tif 000006
【図５】
2008286086.tif 000007